(57)【要約】【課題】設置場所の隅角にデッドスペースを作ることなくコンパクトに設置することができるとともに、狭い場所でも容易にメンテナンスを行うことができ、さらに、水道水の水圧の低い場合や３階への給湯など従来電気給湯機を利用できなかった場所への適用が可能な電気給湯機を提供すること。【解決手段】貯湯タンクＴを直方体状に形成するとともに、この貯湯タンクＴの上方にシスターンタンクＳＴを配設し、貯湯タンクＴ及びシスターンタンクＳＴの一側面側に給湯加圧ポンプ１０及び各種弁機構等の電気給湯機の付属機器類、さらには、風呂の追焚をするための風呂循環ポンプ２４及び風呂追焚用熱交換器２７を配設し、全体を直方体状の筐体Ｋにより覆うようにする。【選択図】図１
2005308251.tif 000002
【特許請求の範囲】
【請求項１】
貯湯タンクを直方体状に形成するとともに、該貯湯タンクの上方にシスターンタンクを配設し、貯湯タンク及びシスターンタンクの一側面側に給湯加圧ポンプ及び各種弁機構を配設し、全体を直方体状の筐体により覆ったことを特徴とする電気給湯機。
【請求項２】
貯湯タンクとシスターンタンクとを連通管を介して接続するとともに、シスターンタンクを導管を介して大気に開放したことを特徴とする請求項１記載の電気給湯機。
【請求項３】
貯湯タンク及びシスターンタンクの一側面側に風呂循環ポンプ及び風呂追焚用熱交換器を配設したことを特徴とする請求項１又は２記載の電気給湯機。
【発明の詳細な説明】
【技術分野】
【０００１】
本発明は、電気給湯機に関し、特に、設置場所の隅角にデッドスペースを作ることなくコンパクトに設置することができるとともに、狭い場所でも容易にメンテナンスを行うことができる電気給湯機に関するものである。
【背景技術】
【０００２】
従来、深夜電力を用いた電気給湯機では、水道管から供給された水道水を電気給湯機の貯湯タンク内にて加熱するとともに、この加熱した温水を、直接或いは別の水道管からの水道水と混合することにより設定温度に調節し、この温度調節した温水を配管を介して浴室の給湯口や蛇口に供給するように構成されている。
【０００３】
ところで、従来の電気給湯機では、水道管から供給された水道水の水圧を利用して貯湯タンク内の温水を送り出すようにしているため、貯湯タンクには、水圧に強い円筒形状のものが採用されている。
しかしながら、この円筒形状の貯湯タンクは、その形状から設置場所の隅角にデッドスペースを作り、結果的に広いスペースを占拠するという問題があった。
また、電気給湯機に付属する各種弁機構及び制御機器類は、通常、貯湯タンクの上方又は下方位置、さらには、貯湯タンクと、これを覆う筐体との間に形成された空間に分散して配設されることから、狭い場所に設置されることの多い電気給湯機のメンテナンスを行う際に無理な姿勢を強いられる等、手数を要するという問題があった。
【発明の開示】
【発明が解決しようとする課題】
【０００４】
本発明は、上記従来の円筒形状の貯湯タンクを備えた従来の電気給湯機の有する問題点に鑑み、設置場所の隅角にデッドスペースを作ることなくコンパクトに設置することができるとともに、狭い場所でも容易にメンテナンスを行うことができ、さらに、水道水の水圧の低い場合や３階への給湯など従来電気給湯機を利用できなかった場所への適用が可能な電気給湯機を提供することを目的とする。
【課題を解決するための手段】
【０００５】
上記目的を達成するため、本発明の電気給湯機は、貯湯タンクを直方体状に形成するとともに、該貯湯タンクの上方にシスターンタンクを配設し、貯湯タンク及びシスターンタンクの一側面側に給湯加圧ポンプ、各種弁機構及び制御機器類を配設し、全体を直方体状の筐体により覆ったことを特徴とする。
【０００６】
この場合において、貯湯タンクとシスターンタンクとを連通管を介して接続するとともに、シスターンタンクを導管を介して大気に開放することができる。
【０００７】
また、貯湯タンク及びシスターンタンクの一側面側に風呂循環ポンプ及び風呂追焚用熱交換器を配設することができる。
【発明の効果】
【０００８】
本発明の電気給湯機によれば、貯湯タンクを直方体状に形成するとともに、該貯湯タンクの上方にシスターンタンクを配設し、貯湯タンク及びシスターンタンクの一側面側に給湯加圧ポンプ及び各種弁機構を配設し、全体を直方体状の筐体により覆うようにしているので、電気給湯機を設置場所の隅角にデッドスペースを作ることなくコンパクトに設置することができるとともに、電気給湯機の一側面側から給湯加圧ポンプ及び各種弁機構のメンテナンスを行うことができるので、メンテナンスを行う際に無理な姿勢を強いられること等がなく、狭い場所でも容易にメンテナンスを行うことができ、さらに、水道水の水圧の低い場合や３階への給湯など従来電気給湯機を利用できなかった場所への適用が可能となり、広い範囲に用いることができる。
【０００９】
また、貯湯タンクとシスターンタンクとを連通管を介して接続するとともに、シスターンタンクを導管を介して大気に開放するようにしているので、貯湯タンクに水道水の高い水圧がかからず、貯湯タンクの補強構造を簡略化することができ、さらに、沸上げ時に貯湯タンクから溢れ出る膨張水を連通管を介してシスターンタンクに導入して貯留するようにして、温水を再利用することができる。
【００１０】
また、貯湯タンク及びシスターンタンクの一側面側に風呂循環ポンプ及び風呂追焚用熱交換器を配設することにより、筐体の形状を大形化することなく、筐体内に風呂循環ポンプ及び風呂追焚用熱交換器を配設し、風呂の追焚を可能としている。
【発明を実施するための最良の形態】
【００１１】
以下、本発明の電気給湯機の実施の形態を、図面に基づいて説明する。
【実施例１】
【００１２】
図１〜図４に、本発明の電気給湯機の一実施例を示す。
この電気給湯機は、貯湯タンクＴを直方体状に形成するとともに、この貯湯タンクＴの上方にシスターンタンクＳＴを配設し、貯湯タンクＴ及びシスターンタンクＳＴの一側面側に給湯加圧ポンプ１０及び各種弁機構等の電気給湯機の付属機器類、さらには、風呂の追焚をするための風呂循環ポンプ２４及び風呂追焚用熱交換器２７を配設し、全体を直方体状の筐体Ｋにより覆うようにしている。
【００１３】
この場合において、貯湯タンクＴは、特に限定されるものではないが、ステンレススチール等の金属板を折曲加工や絞り加工したものを溶接することにより、直方体状に形成した缶体を用いるようにする。
また、貯湯タンクＴ内部には、上部ヒータＨ１及び下部ヒータＨ２を配設し、さらに、シスターンタンクＳＴからの水供給管Ｌ１の接続口Ｔ２の近傍位置に緩衝板Ｔ１を配設するようにしている。
なお、貯湯タンクＴの周囲には、必要に応じて、断熱材（図示省略）を配設することができる。
【００１４】
シスターンタンクＳＴは、特に限定されるものではないが、貯湯タンクＴと同様、ステンレススチール等の金属板を折曲加工や絞り加工したものを溶接することにより、直方体状に形成した缶体を用いるようにする。
また、シスターンタンクＳＴ内部には、レベルスイッチＳ１及びオーバーフロースイッチＳ２を配設するようにしている。
【００１５】
そして、貯湯タンクＴの上部とシスターンタンクＳＴとを連通管Ｌ２を介して接続するとともに、シスターンタンクＳＴを導管Ｌ３を介して大気に開放するようにしている。
これにより、貯湯タンクＴに水道水の高い水圧がかからず、貯湯タンクＴの補強構造を簡略化することができ、さらに、沸上げ時に貯湯タンクＴから溢れ出る膨張水を連通管Ｌ２を介してシスターンタンクＳＴに導入して貯留するようにして、温水を再利用することができるようにしている。
【００１６】
また、貯湯タンクＴ及びシスターンタンクＳＴの一側面側に風呂循環ポンプ２４及び風呂追焚用熱交換器２７を配設することにより、筐体Ｋの形状を大形化することなく、筐体Ｋ内に風呂循環ポンプ２４及び風呂追焚用熱交換器２７を配設し、風呂の追焚を可能としている。
【００１７】
次に、この電気給湯機の配管システムについて、図４に基づいて説明する。
貯湯タンクＴへの水の供給は、シスターンタンクＳＴに接続した給水管Ｌ４、Ｌ５から行うようにし、シスターンタンクＳＴに供給された水を、水供給管Ｌ１を介して、貯湯タンクＴの下部に形成した接続口Ｔ２から貯湯タンクＴ内へ導入することにより行うようにする。
給水管Ｌ４、Ｌ５は、通常、水道管に接続され、シスターンタンクＳＴまでの間に、負圧作動弁１、電磁弁３０、逆止弁２、減圧弁３及び補給水電磁弁９を配設する。
【００１８】
一方、蛇口Ｆ等への給湯は、貯湯タンクＴに接続した給湯管Ｌ６から行うようにし、給水管Ｌ４と混合弁１４を介して合流させ、混合弁１４から管路Ｌ７を介して蛇口Ｆ等へ設定温度の温水を供給するようにする。
給水管Ｌ４は、逆止弁１５を介して、混合弁１４に接続する。
給湯管Ｌ６は、混合弁１４までの間に、給湯加圧ポンプ１０、アキュームレータ１１及び圧力スイッチ１２を配設し、逆止弁１６を介して、混合弁１４に接続する。
混合弁１４から蛇口Ｆ等に繋がる管路Ｌ７には、水量センサ１３及び給湯温度センサ１７を配設する。
【００１９】
また、浴槽Ｂへの給湯は、同様に、貯湯タンクＴに接続した給湯管Ｌ６、Ｌ８から行うようにし、管路Ｌ９を介して浴槽Ｂへ温水を供給するようにする。
給湯管Ｌ８には、水量センサ１９、注湯電磁弁５及び逆止弁２１、２２を、管路Ｌ９には、注湯温度センサ２９を、それぞれ配設する。
また、浴槽Ｂへの給水は、給水管Ｌ４、Ｌ１０から行うようにし、管路Ｌ１１を介して浴槽Ｂへ水を供給するようにする。
給水管Ｌ１０には、水量センサ６、注水電磁弁５及び逆止弁７、８を、管路Ｌ１１には、風呂戻り湯・注水温度センサ２３を、それぞれ配設する。
給湯管Ｌ８の逆止弁２１、２２間、給水管Ｌ１０の水量センサ６、注水電磁弁５間、給水管Ｌ１０の逆止弁７、８間から、それぞれ管路を分岐させて排水弁４に接続するようにする。
【００２０】
また、風呂の追焚は、浴槽Ｂの湯を管路Ｌ１１、Ｌ１２、Ｌ９に循環させることにより行うようにする。
管路１２には、風呂循環ポンプ２４、水流スイッチ２５、水位センサ２８、風呂追焚用熱交換器２７及び電磁弁２６を配設する。
風呂追焚用熱交換器２７には、貯湯タンクＴに接続した給湯管Ｌ６を介して、貯湯タンクＴに戻る循環管路Ｌ１３を接続する。
循環管路Ｌ１３には、切替弁１８を配設する。
【００２１】
そして、本実施例においては、上記の電気給湯機の配管システムの構成部材を複数のユニット、具体的には、給水ユニットＵ１、混合弁ユニットＵ２、電磁弁接続ユニットＵ３、給湯自動ユニットＵ４及び注湯・注水・排水弁ユニットＵ５に分割して構成するようにしている。
このように、電気給湯機の配管システムの構成部材を複数のユニットに分割して構成することにより、電気給湯機の組立やメンテナンスを簡易に行うことができる。
【００２２】
この電気給湯機によれば、貯湯タンクＴを直方体状に形成するとともに、この貯湯タンクＴの上方にシスターンタンクＳＴを配設し、貯湯タンクＴ及びシスターンタンクＳＴの一側面側に給湯加圧ポンプ１０及び各種弁機構等の電気給湯機の付属機器類、さらには、風呂の追焚をするための風呂循環ポンプ２４及び風呂追焚用熱交換器２７を配設し、全体を直方体状の筐体Ｋにより覆うようにしているので、電気給湯機を設置場所の隅角にデッドスペースを作ることなくコンパクトに設置することができるとともに、電気給湯機の一側面側から給湯加圧ポンプ１０及び各種弁機構等の電気給湯機の付属機器類、さらには、風呂の追焚をするための風呂循環ポンプ２４及び風呂追焚用熱交換器２７のメンテナンスを行うことができるので、メンテナンスを行う際に無理な姿勢を強いられること等がなく、狭い場所でも容易にメンテナンスを行うことができ、さらに、水道水の水圧の低い場合や３階への給湯など従来電気給湯機を利用できなかった場所への適用が可能となり、広い範囲に用いることができる。
【００２３】
以上、本発明の電気給湯機について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の電気給湯機は、設置場所の隅角にデッドスペースを作ることなくコンパクトに設置することができるとともに、狭い場所でも容易にメンテナンスを行うことができることから、狭い設置場所しかない場合でも好適に用いることができるほか、給湯を水道水の水圧によらずに給湯加圧ポンプを介して行うようにしているので、水道水の水圧の低い場合や３階への給湯など従来電気給湯機を利用できなかった場所への適用が可能となり、広い範囲に用いることができる。
【図面の簡単な説明】
【００２５】
【図１】本発明の電気給湯機の一実施例を示す概略説明図である。
【図２】同電気給湯機を示し、（ａ）は平面断面図、（ｂ）は正面断面図、（ｃ）は側面断面図である。
【図３】同電気給湯機の配管システムの構成部材のユニットを示し、（ａ）は平面図、（ｂ）は正面図、（ｃ）は側面図である。
【図４】同電気給湯機のの配管システムの説明図である。
【符号の説明】
【００２６】
Ｋ    筐体
Ｔ    貯湯タンク
Ｔ１  緩衝板
Ｔ２  接続口
Ｈ１  上部ヒータ
Ｈ２  下部ヒータ
ＳＴ  シスターンタンク
Ｓ１  レベルスイッチ
Ｓ２  オーバーフロースイッチ
Ｂ    浴槽
Ｆ    蛇口
Ｌ１  水供給管
Ｌ２  連通管
Ｌ３  導管
Ｌ４  給水管
Ｌ５  給水管
Ｌ６  給湯管
Ｌ７  管路
Ｌ８  給湯管
Ｌ９  管路
Ｌ１０  給水管
Ｌ１１  管路
Ｌ１２  管路
Ｌ１３  循環管路
Ｕ１  給水ユニット
Ｕ２  混合弁ユニット
Ｕ３  電磁弁接続ユニット
Ｕ４  給湯自動ユニット
Ｕ５  注湯・注水・排水弁ユニット
１    負圧作動弁
２    逆止弁
３    減圧弁
４    排水弁
５    注水電磁弁
６    水量センサ
７    逆止弁
８    逆止弁
９    補給水電磁弁
１０  給湯加圧ポンプ
１１  アキュームレータ
１２  圧力スイッチ
１３  水量センサ
１４  混合弁
１５  逆止弁
１６  逆止弁
１７  給湯温度センサ
１８  切替弁
１９  水量センサ
２０  注湯電磁弁
２１  逆止弁
２２  逆止弁
２３  風呂戻り湯・注水温度センサ
２４  風呂循環ポンプ
２５  水流スイッチ
２６  電磁弁
２７  風呂追焚用熱交換器
２８  水位センサ
２９  注湯温度センサ
３０  電磁弁
【図１】
2005308251.tif 000003
【図２】
2005308251.tif 000004
【図３】
2005308251.tif 000005
【図４】
2005308251.tif 000006